(57)【特許請求の範囲】
【請求項１】
それぞれ電線の端末に取着された複数の接続端子を収容する端子収容部を有する複数のコネクタハウジングを、前記接続端子のうちの少なくとも１つが他のコネクタハウジングに収容された接続端子に接続された状態で連結して構成した連結コネクタと、
被取付部に対して取着可能な取着部を有し前記連結コネクタに連結される固定部材とが備えられ、
前記各コネクタハウジングの一面には凹状部が、その面と反対側の面には前記凹状部に対してスライド嵌合可能な凸状部がそれぞれ設けられるとともに、前記固定部材には、前記凸状部または前記凹状部からなる連結部が設けられて、その連結部を前記コネクタハウジングの凹状部または凸状部にスライド嵌合させることにより同固定部材が前記連結コネクタに連結されており、
かつ、前記端子収容部は、前記接続端子のうちの少なくとも１つに設けられたジョイント部を前記コネクタハウジングの一面から露出させた状態で収容し、前記各コネクタハウジングの連結時には、前記ジョイント部が他のコネクタハウジングに収容された接続端子に接続されるようになっていて、
前記各コネクタハウジングは、互いに連結した際に一致して直線状に延びた状態となるガイド部を外壁面に有するとともに、
前記ガイド部に対してスライド嵌合する嵌合部と、前記ガイド部に対する前記嵌合部の嵌合時に前記各コネクタハウジングにおいて前記ジョイント部が露出する面を覆う被覆面と、前記各コネクタハウジングに対する挿抜方向とは異なる方向から前記固定部材と係合する第１係合部とを有するカバー部材が備えられ、
前記固定部材には、前記第１係合部と係合する第２係合部が設けられていることを特徴とするジョイントコネクタ。
【請求項２】
前記第１係合部は、前記カバー部材の前記被覆面における前記各コネクタハウジングへの挿入端近辺に設けられた孔部によって構成され、
前記第２係合部は、前記固定部材をコネクタハウジングに取り付けた状態で前記各コネクタハウジングにおける前記接続端子が露出する面から突出する前記固定部材に設けた突部によって構成されていることを特徴とする請求項１記載のジョイントコネクタ。
【請求項３】
前記固定部材には、連なった前記ガイド部の一方の端部を塞いで前記カバー部材の嵌合部の嵌合を阻止する嵌合阻止部が設けられていることを特徴とする請求項１または請求項２記載のジョイントコネクタ。
【請求項４】
前記固定部材の外形寸法が、前記コネクタハウジングにおけるこの固定部材と密接する面の外形寸法とほぼ一致して形成されることにより前記嵌合阻止部が構成されていることを特徴とする請求項３記載のジョイントコネクタ。
【発明の詳細な説明】
【０００１】
【発明の属する技術分野】
本発明は、例えば車両に搭載されるジョイントコネクタに関する。
【０００２】
【従来の技術】
従来、アースライン等の共通の回路系統に使用される各電線をそれぞれ接続するために、例えば特開平８−３０６４５１号公報に記載のジョイントコネクタが提案されている。このものは、図１１に示すように、コネクタハウジング５０の端子収容室５１内に端子５２が収容されている。
コネクタハウジング５０は内部に４段の端子収容室５１を備えており、かつ上下に開口して各端子収容室５１を連通させている。各端子収容室５１の前部は挿入口５１ａとして開口している。一方、接続用の端子５２は上部に第１弾性接触片５３が突出し、内部には第２弾性片５４が、さらに下部には接続部５５を有する構成となっている。
【０００３】
そして、その接続用端子５２をコネクタハウジング５０へ収容させた状態では、下方の端子５２ｂの第１弾性接触片５３が上方の端子５２ａの接続部５５と当接することで、上下の端子５２ａ，５２ｂを電気的に接続するようにしている。また、挿入口５１ａより相手側の雄端子５６を挿入すれば、端子５２の第２弾性接触片５４とも接触するため、ジョイント本数の増加の要請にも応えうるものであった。
【０００４】
【発明が解決しようとする課題】
ところが、こうしたジョイントコネクタであっても、コネクタハウジング５０内の端子収容室５１の部屋数によってジョイント本数に自ずと制約を受ける。このため、回路形態に応じてある程度の種類数のコネクタハウジング５０を準備せざるを得なかった。また、上下に位置する端子５２ａ，５２ｂ同士は必ずジョイントされてしまうため、回路的に接続を要しない場合に上記のコネクタハウジング５０は不適となる。よって、ジョイントコネクタの汎用性が低い。
【０００５】
しかも、コネクタハウジング５０を車両に搭載し、同コネクタハウジング５０を車両に固定する際には、例えば各端子５２に接続される電線Ｗと被取付部とを結束バンドによって結束するなどの必要がある。このため、コネクタハウジング５０を車両に固定する作業が煩雑となり、作業性が悪い。
本発明は上記のような事情に基づいて完成されたものであって、その目的は、汎用性を向上させるとともに、被取付部に対する固定作業を容易かつ確実に行うことができるジョイントコネクタを提供することにある。
【０００６】
【課題を解決するための手段】
請求項１の発明は、それぞれ電線の端末に取着された複数の接続端子を収容する端子収容部を有する複数のコネクタハウジングを、前記接続端子のうちの少なくとも１つが他のコネクタハウジングに収容された接続端子に接続された状態で連結して構成した連結コネクタと、被取付部に対して取着可能な取着部を有し前記連結コネクタに連結される固定部材とが備えられ、前記各コネクタハウジングの一面には凹状部が、その面と反対側の面には前記凹状部に対してスライド嵌合可能な凸状部がそれぞれ設けられるとともに、前記固定部材には、前記凸状部または前記凹状部からなる連結部が設けられて、その連結部を前記コネクタハウジングの凹状部または凸状部にスライド嵌合させることにより同固定部材が前記連結コネクタに連結されており、かつ、前記端子収容部は、前記接続端子のうちの少なくとも１つに設けられたジョイント部を前記コネクタハウジングの一面から露出させた状態で収容し、前記各コネクタハウジングの連結時には、前記ジョイント部が他のコネクタハウジングに収容された接続端子に接続されるようになっていて、前記各コネクタハウジングは、互いに連結した際に一致して直線状に延びた状態となるガイド部を外壁面に有するとともに、前記ガイド部に対してスライド嵌合する嵌合部と、前記ガイド部に対する前記嵌合部の嵌合時に前記各コネクタハウジングにおいて前記ジョイント部が露出する面を覆う被覆面と、前記各コネクタハウジングに対する挿抜方向とは異なる方向から前記固定部材と係合する第１係合部とを有するカバー部材が備えられ、前記固定部材には、前記第１係合部と係合する第２係合部が設けられているところに特徴を有する。
【０００８】
請求項２の発明は、請求項１に記載のものにおいて、前記第１係合部は、前記カバー部材の前記被覆面における前記各コネクタハウジングへの挿入端近辺に設けられた孔部によって構成され、前記第２係合部は、前記固定部材をコネクタハウジングに取り付けた状態で前記各コネクタハウジングにおける前記接続端子が露出する面から突出する前記固定部材に設けた突部によって構成されているところに特徴を有する。
【０００９】
請求項３の発明は、請求項１または請求項２に記載のものにおいて、前記固定部材には、連なった前記ガイド部の一方の端部を塞いで前記カバー部材の嵌合部の嵌合を阻止する嵌合阻止部が設けられているところに特徴を有する。
請求項４の発明は、請求項３に記載のものにおいて、前記固定部材の外形寸法が、前記コネクタハウジングにおけるこの固定部材と密接する面の外形寸法とほぼ一致して形成されることにより前記嵌合阻止部が構成されているところに特徴を有する。
【００１０】
【発明の作用及び効果】
＜請求項１の発明＞
各コネクタハウジングは、凹状部と凸状部とのスライド嵌合により連結される。このため、接続端子の必要数に応じてコネクタハウジングの連結数を決定することができる。よって、ジョイント本数の増加の要請に確実に応じることができ、汎用性が向上する。また、各コネクタハウジング同士を連結すると、接続端子のジョイント部が他のコネクタハウジングに収容された接続端子に接続した状態となる。このため、ジョイント部が設けられた接続端子と、同ジョイント部が設けられていない接続端子とを選択的に用いることにより、所望の接続端子同士を電気的に接続することが可能となる。
しかも、固定部材にも凸状部または凹状部が設けられているため、固定部材をコネクタハウジングに対して容易に連結させることができる。そして、この固定部材の取着部を被取付部に取着することにより、ジョイントコネクタを被取付部に対して容易に固定することができる。
すなわち、汎用性を向上させるとともに、被取付部に対する固定作業を容易かつ確実に行うことができる。
【００１１】
また、各コネクタハウジングにおいて接続端子のジョイント部が露出する面はカバー部材によって被覆される。すなわち、外部に露出するジョイント部がカバー部材によって被覆される。このため、ジョイント部に水や埃等が付着して電流リークを生じたり、腐食したりすることが確実に防止される。
しかも、カバー部材の第１係合部は、固定部材の第２係合部に対して、各コネクタハウジングに対するカバー部材の挿抜方向とは異なる方向から係合する。このため、カバー部材に対して挿抜方向からの外力が加わっても、該係合が解除されてしまうことはない。また、第２係合部は、固定部材に設けられている。このため、各コネクタハウジングに第２係合部を設ける必要がなく、各コネクタハウジングの構造を単純化することができる。カバー部材の脱離を確実に防止することができる。
＜請求項２の発明＞
カバー部材の挿抜方向に外力が加わることに起因する各コネクタハウジング及び固定部材からのカバー部材の脱離を、簡単な構成で防止することができる。
【００１２】
＜請求項３の発明＞
連なったガイド部のうちの固定部材が装着された側の端部が嵌合阻止部で塞がれることにより、カバー部材の嵌合部は、ガイド部における反対の端部側からしかスライド嵌合できない。カバー部材の挿入方向が規制され、言い換えると誤挿入が未然に防止され、ひいてはカバー部材のロックを確実に行うことが可能となる。
＜請求項４の発明＞
固定部材の外形寸法をコネクタハウジングのそれとほぼ一致した設定とするだけで、嵌合阻止部を自ずから構成することができる。
【００１３】
【発明の実施の形態】
以下、本発明の一実施形態を図１ないし図１０に基づいて説明する。
図１に示すように、ジョイントコネクタ１は、複数（ここでは８個）のコネクタハウジング１１によって構成された連結コネクタ２、固定部材３及びカバー部材４を備えている。
図１〜図３に示すように、各コネクタハウジング１１は、合成樹脂によって構成され、それぞれ同形同大の略直方体状をなしている。各コネクタハウジング１１は、１列状に設けられた複数（ここでは１２個）の端子収容室１２を備え、接続端子３１を収容可能となっている。詳しくは、図３に示すように、コネクタハウジング１１には、端子収容室１２に接続端子３１を挿入するための端子挿入口１２ａが設けられている。また、端子挿入口１２ａと対向する面には、２つの貫通孔１２ｂ，１２ｃが透設されている。
【００１４】
図１及び図２に示すように、コネクタハウジング１１の壁面１１ａには、一対の凹状部１３が設けられている。これらの凹状部１３は、端子収容室１２に対する接続端子３１の挿入方向と平行に設けられた凹溝によって構成され、開口側よりも底部側が幅広をなす略鉤状に設けられている。また、壁面１１ａにおいて各凹状部１３よりも端子挿入口１２ａ側には、それぞれ突部１４が形成されている。
一方、図２及び図３に示すように、壁面１１ａと対向する側の壁面１１ｂには、一対の凸状部１５が形成されている。これら凸状部１５は、各凹状部１３と対応して形成された突条によって構成され、その断面形状が凹状部１３の断面形状と一致する鉤状をなしている。また、壁面１１ｂにおいて各凸状部１５よりも端子挿入口１２ａ側には、それぞれ前記凸状部１５と係合可能な係合片１６が形成されている。
【００１５】
このため、図２に矢印で示すように、一方のコネクタハウジング１１の凹状部１３に対して他方のコネクタハウジング１１の凸状部１５を適合させてスライドさせれば、２つのコネクタハウジング１１同士を密接させた状態で連結することができる。そして、各コネクタハウジング１１同士の連結完了時には、各突部１４と各係合片１６とが係合し、各コネクタハウジング１１同士は分離不能に保持され、連結コネクタ２が構成される。なお、図１及び図２に示すように、各凸状部１５の延長線上における貫通孔１２ｂ，１２ｃ側の端縁には、それぞれ凹所３７が設けられている。
【００１６】
また、図１及び図２に示すように、コネクタハウジング１１の各側面１１ｃには、それぞれ複数（ここでは５つ）のガイド突起１７が突設されている。これらガイド突起１７は、側面１１ｃの長手方向に沿って一列に形成されている。同じく、各側面１１ｃにおける貫通孔１２ｂ，１２ｃ側の端縁付近には、同側面１１ｃの長手方向と直交する方向に延びるガイド部としての溝部１８が設けられている。この溝部１８は、コネクタハウジング１１同士を連結したときに一致して、側面１１ｃの長手方向と直交する方向に直線状に延びた状態となるように設けられている。また、各側面１１ｃにおける端子挿入口１２ａ側の端縁には、フランジ部１９が突設されている。
【００１７】
図３に示すように、接続端子３１は、導電性の金属板を折り曲げ加工することによって形成されている。そして、接続端子３１の基端側には、被覆電線Ｗに圧接され、同電線Ｗの芯線と電気的に接続する圧接部３２が形成されている。また、接続端子３１の先端側には、ジョイント相手となる端子との接続のための接続端子部３３が形成されている。この接続端子部３３は略角筒状に形成され、先端及び基端側に開口している。接続端子部３３の壁部３３ａ，３３ｂは二重構造となっており、内側に位置する壁部３３ａには、先端縁から基端に向かって内向きかつ略山形上に折り返された弾性接触片３４が形成されている。
また、外側の壁部３３ｂには、弾性変形可能なランス３５が形成されている。このランス３５は、接続端子３１を端子収容室１２内に収容した際に、コネクタハウジング１１に設けられた係合部２０に係合するようになっている。すなわち、このランス３５の係合により、接続端子３１が端子収容室１２から抜け出てしまうことを規制する。
【００１８】
さらに、外側の壁部３３ｂには、先端方向に向かって突出するジョイント部３６が延設されている。そして、このジョイント部３６は、端子収容室１２内に接続端子３１が収容されたときに、前記貫通孔１２ｃから外方へ突出した状態となる。本実施形態においてジョイント部３６は、一枚板によって形成された基端部３６ａと、二枚板によって形成された先端部３６ｂとによって構成されている。そして、基端部３６ａの付け根部分と先端部３６ｂの付け根部分とでそれぞれ直角曲げされている。これにより、ジョイント部３６の先端部３６ｂは、コネクタハウジング１１の外側において、同コネクタハウジング１１の壁面１１ｂと平行に延びた状態となっている。
【００１９】
そして、図３に示すように、これら先端部３６ｂは、コネクタハウジング１１同士を組み付けた際に、他方のコネクタハウジング１１の貫通孔１２ｂ内に挿入され、弾性接触片３４と接触した状態となる。すなわち、各コネクタハウジング１１同士の組み付けに伴って、異なるコネクタハウジング１１に収容された接続端子３１同士が電気的に接続する。なお、ここでは、全ての接続端子３１にジョイント部３６が設けられているものの、接続端子３１間の電気的な接続が不要な箇所については、このジョイント部３６を削除した接続端子３１が用いられるようになっている。
【００２０】
図１及び図４に示すように、固定部材３は長方形状をなす合成樹脂製の板状物によって構成され、その外形寸法が、コネクタハウジング１１の壁面１１ａの外形寸法と一致するように形成されている。そして、図１に示すように、固定部材３の第１面３ａには、被取付部に対して取着可能な取着部２１及び補強リブ２２が形成されている。取着部２１は、第１面３ａの略中央に形成されている。補強リブ２２は、第１面３ａの短辺側の両側縁に沿って形成されるとともに、両短辺側の側縁の略中央箇所から長辺と平行に延設されている。
【００２１】
また、図４及び図６に示すように、固定部材３の第２面３ｂにおける短辺側の両側縁の近傍には、同短辺に沿って延びる連結部としての一対の凸状部２３が形成されている。これら凸状部２３は、前記コネクタハウジング１１の凹状部１３と対応して形成された突条によって構成され、その断面形状が凹状部１３の断面形状と一致する鉤状をなしている。このため、これら凸状部２３をコネクタハウジング１１の凹状部１３にスライド嵌合させることにより、固定部材３をコネクタハウジング１１に連結させることが可能となっている。
【００２２】
そして、固定部材３におけるコネクタハウジング１１への装着方向側の端縁には、コネクタハウジング１１の各突部１４と係合可能な孔部２４がそれぞれ透設されている。また、凸状部２３における凹状部１３への挿入先端側の端縁には、テーパ部２３ａが形成されている。このため、凹状部１３に対して凸状部２３を容易に挿入可能となっている。一方、凸状部２３における凹状部１３への挿入基端側の端縁には、第２面３ｂの外側縁から突出する第２係合部としての突部２５が形成されている。この突部２５には、第２面３ｂに近づくにつれて突出量が多くなる斜状部２５ａが形成されている。
【００２３】
このように構成された固定部材３は、コネクタハウジング１１の壁面１１ａに密接した状態で装着される。詳しくは、各コネクタハウジング１１同士の連結と同様に、固定部材３の凸状部２３をコネクタハウジング１１の凹状部１３にスライド挿入し（図６の矢印Ｈ方向）、固定部材３の孔部２４をコネクタハウジング１１の突部１４に係合させる。これにより、図７にも示すように、固定部材３の外側縁とコネクタハウジング１１における壁面１１ａの外側縁とが一致した状態で、固定部材３がコネクタハウジング１１に分離不能に保持される。
このことは併せて、固定部材３における挿入方向の後端側の左右両側が、コネクタハウジング１１の側面１１ｃに形成されたガイド部としての溝部１８を塞ぐことを意味しており、この部分が、本発明の嵌合阻止部４７となっている。
また、固定部材３の突部２５がコネクタハウジング１１において接続端子３１のジョイント部３６が露出する面から突出した状態となる。
【００２４】
また、図１及び図５等に示すように、カバー部材４は、連結コネクタ２において前記接続端子３１のジョイント部３６が露出する面よりもやや大きめに形成された合成樹脂製の板状物からなる被覆部４１を備えている。
図５に示すように、被覆部４１における３つの側縁には、同被覆部４１に対して直角に屈曲されたフランジ部４２が形成されている。そして、対向する２つのフランジ部４２ａの内側面側における先端縁には、被覆部４１と平行に延びる突条４３がそれぞれ形成されている。
【００２５】
これらの突条４３は、図１に示すようにカバー部材４を連結コネクタ２にスライド装着する際に、各コネクタハウジング１１の溝部１８に挿入されるように形成されている。すなわち、突条４３は、溝部１８に対してスライド可能に嵌まり合う嵌合部として機能する。また、残る他のフランジ部４３ｂの内側面には、前記コネクタハウジング１１の凹所３７に仮嵌合可能な仮嵌合突起４４が形成されている。
また、被覆部４１のフランジ部４２が形成されていない側の側縁において、各フランジ部４２ａと近接する箇所には、第１係合部としての孔部４５が透設されている。より詳しくは各孔部４５は、固定部材３及びカバー部材４を連結コネクタ２に装着した際に、固定部材３の各突部２５と係合可能に設けられている。
【００２６】
このように構成されたカバー部材４は、コネクタハウジング１１に対して固定部材３が装着された後に、図６及び図８の矢印Ｖに示すように、固定部材３が装着された側とは反対側から、連結コネクタ２に対して装着される。詳しくは、カバー部材４の突条４３を各コネクタハウジング１１の溝部１８に挿入した状態で、図９（ａ）に矢印Ｔで示すように、カバー部材４を連結コネクタ２にスライド装着する。すると、同図（ｂ）に示すように、カバー部材４の挿入端が固定部材３の突部２５の斜状部２５ａに案内され、同図に矢印Ｆで示すように撓む。そしてそのままカバー部材４を装着すると、同図（ｃ）に示すように、固定部材３の突部２５とカバー部材４の孔部４５とが係合するとともに、カバー部材４の仮嵌合突起４４がコネクタハウジング１１の凹所３７に仮嵌合した状態となる。
これにより、図１０に示すように、ジョイントコネクタ１の組み立てが完了する。このとき、カバー部材４は、連結コネクタ２に対する挿抜方向とは異なる方向から固定部材３と係合する。よって、カバー部材４は、被覆部４１によって連結コネクタ２におけるジョイント部３６が露出する面を被覆した状態で、同連結コネクタ２に分離不能に装着される。
【００２７】
なお、カバー部材４を装着する際に、図８の鎖線に示すように、誤って固定部材３が装着された側から装着しようとする場合があり得る。
しかしながらこの実施形態では、図７に示すように、連結コネクタ２の側面において一直線に連なった溝部１８のうちの、固定部材３が装着された側の端部が嵌合阻止部４７で塞がれた状態にあるから、カバー部材４を装着しようとしても突条４３が嵌合阻止部４７に突き当たることで、これが阻止される。すなわち、カバー部材４は、上記したように、固定部材３が装着された側とは反対側からの正規方向にしか装着することができない。
【００２８】
本実施形態によれば、以下のような数々の効果を得ることができる。
各コネクタハウジング１１は、凹状部１３と凸状部１５とのスライド嵌合により連結される。このため、接続端子３１の必要数に応じてコネクタハウジング１１の連結数を決定することができる。よって、ジョイント本数の増加の要請に確実に応じることができ、ジョイントコネクタ１の汎用性を向上させることができる。また、各コネクタハウジング１１同士を連結すると、接続端子３１のジョイント部３６が他のコネクタハウジング１１に収容された接続端子３１に接続した状態となる。このため、ジョイント部３６が設けられた接続端子３１と、同ジョイント部３６が設けられていない接続端子３１とを選択的に用いることにより、所望の接続端子３１同士を電気的に接続することができる。よって、ジョイントコネクタ１の汎用性をより向上させることができる。
しかも、固定部材３にもコネクタハウジング１１の凹状部１３とスライド嵌合可能な凸状部２３が設けられているため、固定部材３をコネクタハウジング１１に対して容易に連結させることができる。そして、この固定部材３の取着部２１を被取付部に取着することにより、ジョイントコネクタ１を被取付部に対して容易に固定することができる。
【００２９】
各コネクタハウジング１１において接続端子３１のジョイント部３６が露出する面がカバー部材４によって被覆される。すなわち、外部に露出するジョイント部３６がカバー部材４によって被覆される。このため、ジョイント部３６に水や埃等が付着して電流リークを生じたり、腐食したりするのを確実に防止することができる。
しかも、カバー部材４の孔部４５は、連結コネクタ２に対するカバー部材４の挿抜方向とは異なる方向から固定部材３の突部２５に係合する。このため、カバー部材４に対して挿抜方向からの外力が加わっても、該係合が解除されてしまうことはない。また、第２係合部としての突部２５は、固定部材３に設けられている。このため、各コネクタハウジング１１に第２係合部を設ける必要がなく、各コネクタハウジング１１の構造を単純化することができる。
また、該孔部４５と該突部２５との係合といった簡単な構成で、カバー部材４の挿抜方向に外力が加わることに起因する各コネクタ及び固定部材３からのカバー部材４の脱離を確実に防止することができる。
【００３０】
連結コネクタ２において、一直線に連なった溝部１８（ガイド部）のうちの固定部材３が装着された側の端部を嵌合阻止部４７で塞ぐ構造としたから、カバー部材４の突条４３（嵌合部）は、固定部材３が装着された側とは反対側からの正規方向にしか装着することができない。カバー部材４の挿入方向が規制され、言い換えると誤挿入が未然に防止され、ひいてはカバー部材４のロックを確実に行うことが可能となる。
しかも、固定部材３の外形寸法をコネクタハウジング１１のそれと一致させるといった簡単な構造でもって、嵌合阻止部４７が自ずから構成される。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）前記実施形態では、固定部材３の第２面３ｂに凸状部２３を設け、この凸状部２３をコネクタハウジング１１の凹状部１３にスライド嵌合させることにより、固定部材３をコネクタハウジング１１に連結するようになっている。しかし、この凸状部２３を、コネクタハウジング１１の凸状部１５にスライド嵌合可能な凹状部に変更してもよい。つまり、固定部材３の第２面３ｂに、コネクタハウジング１１の凹状部１３と同等の凹状部を設けてもよい。
【００３２】
（２）前記実施形態では、カバー部材４に仮嵌合突起４４が設けられている。しかし、この仮嵌合突起４４を省略するとともに、各コネクタハウジング１１の凹所３７を省略してもよい。このようにすれば、カバー部材４及びコネクタハウジング１１の構造をより単純化することができる。
（３）連結コネクタ２を構成するコネクタハウジング１１の数は、８個に限らず、７個以下や９個以上であってもよい。
（４）取着部２１の形状は、図１に示した形状に限らず、被取付部の形状に応じて適宜変更してもよい。すなわち、取着部２１は、被取付部に係合可能な形状であれば、どのような形状であってもよい。
（５）また、取着部自体は、上記実施形態に例示したカセット形式に限らず、例えば被取付部に弾性的に係止するロックアームのようなものもこれに含まれる。
【００３３】
（６）次に、特許請求の範囲に記載された技術的思想のほかに、前述した実施形態によって把握される技術的思想を以下に列挙する。
▲１▼一面に凹状部を有し、その面と対向する面に前記凹状部に対してスライド可能に嵌まり合う凸状部を有するとともに、それぞれ電線の端末に取着された複数の接続端子のうち、少なくとも１つに設けられたジョイント部を一面から露出させた状態で収容する端子収容部を有する複数のコネクタによって構成され、それらコネクタの凹状部と凸状部とを互いに嵌合させることにより、前記ジョイント部が他のコネクタに収容された接続端子に接続した状態で連結する連結コネクタと、前記凸状部または前記凹状部、及び被取付部に対して取着可能な取着部を有する固定部材とを備えることを特徴とするジョイントコネクタ。
【００３４】
▲２▼それぞれ電線の先端に取着された接続端子を複数個収容可能な端子収容部を有するとともに、一面に凹状部が設けられ、その面と対向する側の面に前記凹状部にスライド可能に嵌まり合う凸状部が設けられた複数のコネクタと、前記凸状部または凹状部、及び被取付部に対して取着可能な取着部を有する固定部材とを備えることを特徴とするジョイントコネクタ。
【図面の簡単な説明】
【図１】本発明の一実施形態に係るジョイントコネクタの分解斜視図
【図２】コネクタハウジングの結合動作を示す斜視図
【図３】図１のＡ−Ａ線断面図
【図４】固定部材の斜視図
【図５】カバー部材の斜視図
【図６】固定部材とカバー部材の装着動作を示す上下反転させた分解斜視図
【図７】固定部材が装着された状態を示す一部切欠平面図
【図８】カバー部材の装着動作を示す上下反転させた側面図
【図９】カバー部材の取付態様を示す図１のＢ−Ｂ線断面図
【図１０】組立完了状態のジョイントコネクタの上下反転させた斜視図
【図１１】従来のジョイントコネクタの断面図
【符号の説明】
１…ジョイントコネクタ
２…連結コネクタ
３…固定部材
４…カバー部材
１１…コネクタハウジング
１２…端子収容室
１３…凹状部
１５…凸状部
１８…溝部（ガイド部）
２１…取着部
２３…凸状部（連結部）
２５…突部（第２係合部）
３１…接続端子
３６…ジョイント部
４１…被覆部
４３…突条（嵌合部）
４４…仮嵌合突起
４５…孔部（第１係合部）
４７…嵌合阻止部
【図１】
0003879057.tif 000002
【図２】
0003879057.tif 000003
【図３】
0003879057.tif 000004
【図４】
0003879057.tif 000005
【図５】
0003879057.tif 000006
【図６】
0003879057.tif 000007
【図７】
0003879057.tif 000008
【図８】
0003879057.tif 000009
【図９】
0003879057.tif 000010
【図１０】
0003879057.tif 000011
【図１１】
0003879057.tif 000012